(57)【要約】【課題】情報呈示装置の認識対象に対して広範囲に対応でき、またその対応参照情報を容易に交換できるようにすること。【解決手段】所定の撮影範囲を有する撮影手段１１により撮影された画像から、上記撮影範囲内の個々のマーカを認識し識別する認識・識別手段１２と、該認識・識別手段１２によって識別された個々のマーカの情報に応じて所定の情報を指定する情報指定手段１３と、該情報指定手段１３により指定された情報を上記撮影手段１１により撮影された画像と関連させた呈示画像を生成する呈示画像生成手段１４とにより情報呈示装置を構成し、上記認識・識別手段１２によって識別するための個々のマーカに対する情報が、当該情報呈示装置１０とは別体のデータセット２１として供給されるようにする。【選択図】      図１
2006155191.tif 000002
【特許請求の範囲】
【請求項１】
所定の撮影範囲を有する撮影手段により撮影された画像から、上記撮影範囲内の個々のマーカを認識し識別する識別手段と、
上記識別手段によって識別された個々のマーカの情報に応じて所定の情報を指定する指定手段と、
上記指定手段により指定された情報を上記撮影手段により撮影された画像と関連させた呈示画像を生成する呈示画像生成手段と、
を具備し、
上記識別手段によって識別するための個々のマーカに対する情報が、当該装置とは別体のデータファイルセットとして供給されることを特徴とする情報呈示装置。
【請求項２】
当該情報呈示装置内に、マーカとの認識及び識別を行い表示すべき情報の存在を指定する基本データを、少なくとも一組、保有することを特徴とする請求項１に記載の情報呈示装置。
【請求項３】
上記基本データでマーカとの認識及び識別ができないとき、上記データファイルセットの供給を受けることを特徴とする請求項２に記載の情報呈示装置。
【請求項４】
上記基本データでのマーカの認識及び識別結果に応じたデータファイルセットの供給を受けることを特徴とする請求項２に記載の情報呈示装置。
【請求項５】
上記供給されるデータファイルセットにおいて、何れのデータファイルセットにも必ず同一のデータファイルが少なくとも一組は内包されていることを特徴とする請求項１に記載の情報呈示装置。
【請求項６】
当該情報呈示装置を起動させる際には特定のサイトに接続され、必ず所定のデータファイルをダウンロードし、当該情報呈示装置の他のデータファイルセットに取り込む或いは同時に参照可能とすることを特徴とする請求項１に記載の情報呈示装置。
【請求項７】
上記撮影範囲内の個々のマーカ像から上記撮影手段の位置及び姿勢を算出する位置姿勢算出手段を更に具備し、
上記呈示画像生成手段は、上記情報指定手段により指定された情報を、上記撮影手段により撮影された画像に対して、上記位置姿勢算出手段で算出された位置及び姿勢で呈示するような呈示画像を生成することを特徴とする請求項１乃至６の何れかに記載の情報呈示装置。
【請求項８】
所定の撮影範囲を有する撮像手段と、情報呈示装置と、記憶装置と、表示手段とを備えた情報呈示端末において、
上記情報呈示装置は、
上記撮影手段により撮影された画像から、上記撮影範囲内の個々のマーカを認識し識別する識別手段と、
上記識別手段によって識別された個々のマーカの情報に応じて所定の情報を指定する指定手段と、
上記指定手段により指定された情報を上記撮影手段により撮影された画像と関連させた呈示画像を生成して、上記表示手段に表示する呈示画像生成手段と、
を具備し、
上記識別手段によって識別するための個々のマーカに対する参照情報が、上記情報呈示装置とは別体のデータファイルセットとして上記記憶装置から供給されることを特徴とする情報呈示端末。
【請求項９】
上記記憶装置に記憶されるデータファイルセットは、予めまたは上記情報呈示装置の起動時に、当該情報呈示端末がアクセス可能な特定のサイトよりダウンロードされることを特徴とする情報呈示端末。
【発明の詳細な説明】
【技術分野】
【０００１】
本発明は、情報を提示する情報呈示装置及び情報呈示端末に関する。
【背景技術】
【０００２】
従来より、撮影した対象画像（マーカ像）を認識し、それによってその対象画像に関連する情報を提示するシステムが各種提案されている。
【０００３】
例えば、特許文献１には、画像入力手段の情報から撮影時の焦点距離と画像切出しサイズとから画角を得る光学情報手段、画角に基づいて撮影者位置及び撮影方向を算出する算出手段、を備えた画像情報付加装置と、一対の図柄を有した標識手段と、標識手段を撮像する方向と同一方向における背景画像とこれに付随する付随情報とを格納した情報格納手段と、を備えた画像情報付加システムであって、一対の図柄の撮影画像から撮影者位置と撮影方向を算出し、これに基づいて情報格納手段から入手した背景画像情報を加工処理して同一視野の背景画像情報を取得するとともに付随情報を取得し、同一視野の背景画像と付随情報を表示する画像情報付加システムが開示されている。
【０００４】
また、特許文献２には、撮影したロゴの画像を利用しサーバで対応するＵＲＬを見つける技術が開示されている。これは、携帯機器で雑誌等に印刷された広告中に含まれるロゴマークを撮影し、検索サーバでは、インターネットを介して送られてきたそのロゴマークに最も近いロゴマークを検索して、その検索されたロゴマークに対応するＵＲＬをインターネット経由で上記携帯機器に送ることで、その携帯機器でそのＵＲＬにアクセスしてホームページを閲覧することができるものである。
【特許文献１】特開２００３−２４４４８８号公報
【特許文献２】特開２００３−１５９８０号公報
【発明の開示】
【発明が解決しようとする課題】
【０００５】
しかしながら、上記特許文献１及び２に開示された技術とも、対象画像の参照情報を情報呈示装置内に有しているが、参照情報をセットとしての取り扱いとなっておらず、情報呈示装置の認識対象に対して広範囲に対応できず、またその対応参照情報を容易に交換することができない。
【０００６】
本発明は、上記の点に鑑みてなされたもので、情報呈示装置の認識対象に対して広範囲に対応でき、またその対応参照情報を容易に交換することが可能な情報呈示装置及び情報呈示端末を提供することを目的とする。
【課題を解決するための手段】
【０００７】
本発明の情報呈示装置の一態様は、
所定の撮影範囲を有する撮影手段により撮影された画像から、上記撮影範囲内の個々のマーカを認識し識別する識別手段と、
上記識別手段によって識別された個々のマーカの情報に応じて所定の情報を指定する指定手段と、
上記指定手段により指定された情報を上記撮影手段により撮影された画像と関連させた呈示画像を生成する呈示画像生成手段と、
を具備し、
上記識別手段によって識別するための個々のマーカに対する情報が、当該装置とは別体のデータファイルセットとして供給されることを特徴とする。
【０００８】
また、本発明の情報呈示端末の一態様は、
所定の撮影範囲を有する撮像手段と、情報呈示装置と、記憶装置と、表示手段とを備えた情報呈示端末において、
上記情報呈示装置は、
上記撮影手段により撮影された画像から、上記撮影範囲内の個々のマーカを認識し識別する識別手段と、
上記識別手段によって識別された個々のマーカの情報に応じて所定の情報を指定する指定手段と、
上記指定手段により指定された情報を上記撮影手段により撮影された画像と関連させた呈示画像を生成して、上記表示手段に表示する呈示画像生成手段と、
を具備し、
上記識別手段によって識別するための個々のマーカに対する参照情報が、上記情報呈示装置とは別体のデータファイルセットとして上記記憶装置から供給されることを特徴とする。
【発明の効果】
【０００９】
本発明によれば、情報呈示装置の認識対象に対して広範囲に対応でき、またその対応参照情報を容易に交換することが可能な情報呈示装置及び情報呈示端末を提供することができる。
【発明を実施するための最良の形態】
【００１０】
本発明は、カメラ等の撮影手段によって取得される画像中から対象画像である所定のマーカを認識し、予め別途システムに導入した認識照合のための参照情報（以下、これをテンプレートと称する。）と比較・同定することにより、該所定のマーカに対応した情報（テキスト、グラフィックス、動画等の各種形態）を取得する情報呈示装置の利便性を向上させようとするものである。
【００１１】
そのような情報呈示装置においては、これまで、アプリケーションソフトウェア内に、予めマーカと対応するテンプレートを所定の位置に読み込んだ上で動作させていたが、これはそもそも多数のマーカが存在するシーンを想定していない実験的なものであり、実用向きではない。即ち、情報呈示装置はいわゆる辞書のように装置がマーカ認識時に参照するテンプレートを、多数保有することがユーザからする利用価値を高めるものと考えられる。その一方で、装置内に多数のテンプレート（例えば、１００００件を超えるレベル）が有った場合は、取得した画像中にマーカとテンプレートとの比較・照合（マッチング）にかかる処理時間が飛躍的に増大してしまう。本発明の発明者らの実験・検討に拠れば、それら参照するデータの数を１００乃至１０００程度に押さえることが、利用者の利便性と処理速度を最適にするとの結論を得ている。尚、当然の事ながら、処理速度や表示速度は情報呈示装置のアプリケーションソフトウェアがインストールされるプラットフォームに依存し、主に本発明の主要なプラットフォームとはカメラ付き携帯電話機、カメラ付きＰＤＡ（携帯情報端末）、可般型パーソナルコンピュータ（ノートＰＣやタブレットＰＣ）を適用範囲として検討されている。発明者らは前述の通り、テンプレートをある程度の数を束ねたいわゆるデータセットという形態で扱い、情報呈示装置のアプリケーションソフトウェア外に該データセットを保存し、情報呈示装置の起動或いは動作中に一括して該データセットを読み込むことで、マーカ認識時に参照するデータを導入可能にしたことで、利用者の実用的な利便性の向上を図ったものである。
【００１２】
以下、本発明を実施するための最良の形態を図面を参照して説明する。
【００１３】
［第１実施形態］
図１は、本発明の第１実施形態に係る情報呈示装置を適用した情報呈示システムの構成を示す図である。
【００１４】
この情報呈示システムは、本発明の第１実施形態に係る情報呈示端末であるプラットフォームハードウェアに構成した情報呈示装置１０及びプラットフォーム内の記憶部２０と、該プラットフォームハードウェアがアクセス可能なサイトに構成されたデータセットサーバ３０及び情報サーバ４０とからなる。
【００１５】
上記情報呈示装置１０は、撮影手段１１と、プラットフォームハードウェア内に設置された情報呈示装置のアプリケーションソフトウェアにより実現される認識・識別手段１２，情報指定手段１３，及び呈示画像生成手段１４と、画像表示装置１５とから構成される。なお、上記の撮影手段１１及び画像表示装置１５は、プラットフォームハードウェアが物理的な構成として備えていたり、外部に接続されるものの場合もあるので、上記の認識・識別手段１２、情報指定手段１３及び呈示画像生成手段１４を情報呈示装置と称しても構わないものであるが、本実施形態では、画像の撮影から最終的な画像の呈示までを行う装置としてとらえて、それら撮影手段１１、認識・識別手段１２、情報指定手段１３、呈示画像生成手段１４、及び画像表示装置１５を合わせて情報呈示装置と称するものとする。
【００１６】
ここで、上記撮影手段１１は、所定の撮影範囲を有するカメラ等である。上記認識・識別手段１２は、上記撮影手段１１により撮影された画像から、上記撮影範囲内の個々のマーカを認識し識別するものである。上記情報指定手段１３は、上記認識・識別手段１２によって識別された個々のマーカの情報に応じて、情報サーバ４０より所定の情報（表示コンテンツ）を取得し、それを関連情報として指定するものである。上記呈示画像生成手段１４は、上記情報指定手段１３により指定された関連情報を上記撮影手段により撮影された画像と関連させた呈示画像を生成するものである。そして、上記画像表示装置１５は、上記呈示画像生成手段１４で生成された呈示画像を表示する液晶等のディスプレイである。
【００１７】
また、該プラットフォーム内の記憶部２０には、図示しない通信手段或いは記憶媒体を介して、データセットサーバ３０よりデータセット２１が保存されている。但しこのデータセット２１の導入（ダウンロード又はメディア交換）及び保存は、情報呈示装置１０の起動前後を問わず可能である。
【００１８】
このような構成において、情報呈示装置１０は、図２（Ａ）に示すように、まず、撮影手段１１によって画像を取得し（ステップＳ１）、その取得した画像に対して、認識・識別手段１２によって、例えば四角形の枠のような所定のマーカを抽出し（ステップＳ２）、その抽出したマーカの像（例えば四角形の枠内の画像）について上記プラットフォーム内記憶部２０から読み出したデータセット２１内の参照データを基に比較及び識別を行い、一致するマーカ像を検出する。そして、一致するマーカ像を検出した場合には（ステップＳ３）、それを次ステップである情報指定手段１３において再度データセット２１の対応するデータから取得すべき情報の在処及び／または取得方法を読み出して実行する（ステップＳ４）。一般的には、プラットフォームから通信等でネットワーク上などの外部に存在する情報サーバ４０にアクセスし、情報を取得する。そして、呈示画像生成手段１４においては、上記情報指定手段１３にて取得した情報（図示しない）をプラットフォーム内或いは外部にある画像表示装置１５に表示可能なように加工して呈示画像を生成し、その画像表示装置に送出することで、情報を表示する（ステップＳ６）。ここで、場合によっては、撮影手段１１で取得した原画像上に上記で取得した情報を重畳させた呈示画像を生成して画像表示装置１５に送出させることも有益な情報呈示であり、どのような手法で呈示を行うかは利用者により選択可能とする。
【００１９】
また、図３に示すように、認識・識別手段１２と情報指定手段１３との間に、位置姿勢算出手段１６を設けるようにしても良い。ここで、位置姿勢算出手段１６は、図２（Ａ）にステップＳ５として示すように、上記認識・識別手段１２によって識別された上記撮影範囲内の個々のマーカ像の傾き及び画角から逆算する事により、撮影手段１１自体と対象マーカとの位置及び姿勢関係を確定する。上記呈示画像生成手段１４は、上記情報指定手段１３により指定された関連情報を、上記撮影手段１１により撮影された画像に対して、上記情報指定手段１３で算出された位置及び姿勢で重畳表示するような呈示画像を生成する。即ち、上記位置姿勢情報を利用することにより、呈示画像生成手段１４において、撮影原画像上に情報画像又は情報テクスチャを適宜加工し重畳表示する呈示画像の生成が可能となり、情報呈示効果が向上する。
【００２０】
なお、図１及び図３では図示されていないが、データセットサーバ３０よりデータセット２１を導入する際に、情報サーバ４０とデータセットサーバ３０とを通信させ、導入するデータセットサーバ３０に対応する情報（表示コンテンツ）をプラットフォーム内記憶部２０に予め導入・保存する事もプラットフォームの記憶容量次第で可能であり、情報呈示装置１０の動作効率を高める。
【００２１】
ここで、本第１実施形態を、カメラ付き携帯電話機をプラットフォームとした場合について説明する。携帯電話機は、基本的には個人で使用する機器であり、近年そのほとんどの機種にはアプリケーションソフトウェアを携帯電話機でアクセス可能なインターネットサイト（以下、携帯サイトと略記）上から導入可能（いわゆるダウンロードによるインストール可能）となっている。本情報呈示装置１０も基本的にはそういった機種を前提に、本情報呈示装置１０のアプリケーションソフトウェアをインストールし、データセット２１は特定の携帯サイト（図示しない）に繋がるデータセットサーバ３０から通信を介して適宜携帯電話機の記憶部２０に保存される。特に、携帯電話機での本情報呈示装置１０の利用範囲としては、雑誌・新聞等に存在する写真をマーカに予め指定しておき、それに関するデータセットを用意することで、利用者は上記出版物の紙面から携帯電話機でマーカを読み込み、そのマーカに関連した情報を携帯サイトから読み出す、といった利用方法が挙げられる。こういった場合、あらゆる出版物の写真やアイコン、イラスト等を全てを参照データとして保持することは不可能であり、特定の使用範囲等に限定して提供することが現実的である。即ち、ある特定の雑誌の「○月号に掲載された写真をマーカとして参照するためのデータセット」といった纏め方で利用者に供給すれば、利用者側も利用しやすく、また上述のように一つのデータセットに参照画像を１００〜数１００程度であれば携帯電話機の記憶部２０に充分収まり且つ認識・識別処理時間も数秒以内で済む。また、本情報呈示装置１０に利用される印刷物側の写真・イラスト等には特段の仕掛けや処理が不要であるが、より本情報呈示装置１０側での認識を助ける意味で写真周囲の縁取り、或いは背景とのコントラストが高くなるレイアウト等を考慮することが望ましい。
【００２２】
以上のような本発明の第１実施形態によれば、利用者にとってはその利用しようとする範囲のデータを複数一括して本情報呈示装置１０に導入することが容易にでき、また、データセットの供給側も準備しやすく、また商業的に提供しやすいサービスを実現できるようになる。
【００２３】
また、位置姿勢を算出する機能も備えた場合には、情報サーバ４０から取得された情報を原画像上に、適切な位置及び姿勢をもって表示可能となり、利用者の情報取得効果をより高めることに繋がる。
【００２４】
［第２実施形態］
次に、本発明の第２実施形態を説明する。
【００２５】
図４は、本発明の第２実施形態に係る情報呈示装置を適用した情報呈示システムの構成を示す図である。この情報呈示システムの基本的な構成及び動作は、前述の第１実施形態と同様であり、情報呈示装置１０において参照データをセット単位で取り扱うことができることは、上述の通り利用者の利便性を増し、且つデータセットの供給を現実的にするものである。
【００２６】
しかしながら、情報呈示装置１０が広く普及し、またデータセットも極めて多種多様に多くの事業者から供給される状況になった時に、情報呈示装置１０の利用者において利用度の高いもの（以下、これを基本データ１７と称する。）は、データセット２１として別体で供給せずに、どんなデータセット２１を選択していても利用可能なようにしておくことが望ましい。例えば、データセット２１自体の索引情報に紐付くマーカや最も頻繁に利用されるマーカ等については、データセット２１からそれらを除外し、情報呈示装置１０のアプリケーションソフトウェア内にそれら数点の参照データのみを常駐させることが有効である。言い換えると、本第２実施形態においては、データセット２１は、利用者の利用目的や対応させる出版物・対象物に応じてセットを組み、アプリケーションソフトウェアとは別体で供給するが、特に利用頻度が大きいか必要性の高いマーカについての参照データ等は、基本データ１７としてアプリケーションソフトウェア自体に常駐或いは保有させる、ということになる。
【００２７】
ここで再度、携帯電話機がプラットフォームである場合を説明する。例えば、通常のデータセット２１を所定の携帯サイトから通信を介してダウンロードする事が最も実用的であるが、その際、データセット２１の索引サイト（携帯サイト上のページ）上で案内及び検索が可能なことが携帯電話機利用者に便利である。そのサイト自体へアクセスする場合も、それ専用のマーカを本情報呈示装置１０に読み込ませ、閲覧ソフトウェアに上記サイトへのＵＲＬを渡すことでアクセス可能とする為に、特にデータセット２１の準備を必要とせず、アプリケーションソフトウェア内に当該マーカに対応する参照データを基本データ１７として存在させる。この場合、特定のイラストやロゴ等をマーカとしても良いし、どこでも入手できるような無地の４角形などをマーカとして設定しておく。
【００２８】
あるいは、基本データ１７をアプリケーションソフトウェア自体に常駐或いは保有させる代わりに、図５に示すように、供給されるデータセット２１において、何れのデータセット２１にも必ず基本データ１７となる同一のデータファイル（図ではテンプレートデータ「Ａ」）が少なくとも一組は内包されるようにしても良い。
【００２９】
即ち、前述の通り、情報呈示装置１０において実際に動作させる場合には、利用者が任意のデータセット２１を導入するものであるが、何れのデータセット２１にも前出の基本データ１７が少なくとも１種は含まれており、利用頻度が大きいか必要性の高いマーカについては必ず対応できるとするものである。例えば、図５に示すように、データセット２１が多数（データセット（１）〜（ｎ））用意されており、その中で１組或いは複数組のデータセット２１をプラットフォーム内記憶部２０に導入・保存した場合、どのデータセット２１を選択したとしても必ず１種又は複数種の基本データ１７は含まれており、それによって利用者は特段の配慮をせずに基本的なマーカを撮像し、基本的な動作をさせることができる。繰り返しになるが、基本的な動作とは「データセットの索引ページへのアクセス」であったり「該情報呈示装置１０供給者へのサポート窓口へのアクセス」或いは所定地域内に於ける「天気情報サイトへのアクセス」、その他利用者の多くが望む動作であって、使用頻度の高いものを定義する。
【００３０】
また、図６に示すように、当該情報呈示装置１０を起動させる際にデータセットサーバ３０に接続して、必ず基本データ１７をダウンロードし、他のデータセット２１に取り込む或いは同時に参照可能とするようにしても良い。
【００３１】
この構成は、データセット２１は別体で供給、特にネットワーク経由でデータセットサーバ３０よりダウンロードされる形態の場合に有効な基本データ１７の導入方法を提供するものである。即ち、データセット２１をネットワークを介して本情報呈示装置１０に供給する場合、データセット２１を利用者が選択してデータセットサーバ３０よりダウンロードする際に、データセット２１に加え、自動的に基本データ１７についても同時にダウンロードする方法であり、また既に本情報呈示装置１０の存するプラットフォームの記憶部２０に基本データ１７が保存されている場合にはその基本データ１７の更新を図るものである。
【００３２】
これにより利用者は、特段の配慮をせずとも常に基本データ１７を情報呈示装置１０で利用可能となる。
【００３３】
例えば、近年、カメラ付き携帯電話機においてアプリケーションソフトを利用できるものが一般的に普及している。これをプラットフォームに本情報呈示装置１０の撮影手段１１及び画像表示装置１５を除く機能を有するアプリケーションソフトウェアをインストールしてある場合を考える。この場合、図２（Ｂ）に示すように、該アプリケーションソフトウェアを使用するに当たり、データセット２１を携帯電話機の通信を介して所定のデータセットダウンロードサイトを閲覧して（ステップＳ１１）、データセットサーバ３０より初期的にダウンロードを行う（ステップＳ１２）。それに引き続き、データセットサーバ３０からは該携帯電話機内に基本データ１７が存在しないこと、もしくは、該携帯電話機内の記憶部２０に既に基本データ１７が存在した場合はその基本データ１７のバージョンを確認し、該データセットサーバ３０が提供しようとする基本データ１７のバージョンと比較して、更新の必要性を判定し（ステップＳ１３）、基本データ１７についても上記のデータセット２１と同様にダウンロードを行う（ステップＳ１４）。そして、そのダウンロードした基本データ１７を該携帯電話機内の記憶部２０に保存し（ステップＳ１５）、また、上記ダウンロードしたデータセット２１を該携帯電話機内の記憶部２０に保存する（ステップＳ１６）。このように、該携帯電話機内の記憶部２０に既に基本データ１７が存在した場合は、バージョン比較により、更新の必要性を判定の上、基本データ１７のダウンロード及び保存を行う。
【００３４】
以上のように、データセット２１の必要性はある程度利用者の必要に応じたデータセット２１に限り該携帯電話機に保存することで、マーカの識別処理速度の確保と利用者の必要性に不便を掛けないことを両立させようとするものである。
【００３５】
本情報呈示装置１０の利用範囲としては新聞・雑誌などの出版物上の写真・イラストなどの意匠をマーカとしてそれらに関係する、或いは起因する情報への携帯電話機よりのアクセスやそれらの情報をカメラで取得した像上に重畳表示する事による情報呈示の高度化がある。更に、印刷物に限らず物体や町中にある看板等もマーカとして参照データに登録することも可能で有り、それらを携帯電話機からマーカとして認識することで付加情報或いは最新情報の取得を行うことが可能である。
【００３６】
更に携帯電話機を用いた利用形態として、ＣＤやＤＶＤといった矩形のパッケージを持った商品においては、そのジャケットデザインが様々であるため、それをマーカとして利用することが可能である。店頭、或いは別途レコード会社等から当該ジャケット群に関するデータセットを利用者に配信することにより、ＣＤ／ＤＶＤショップ或いはレンタル店等において、各ジャケットをマーカとして携帯電話機で認識できるようになる。このため、例えば、当該マーカにＵＲＬを関連づけておき、このＵＲＬにおいて、当該マーカに紐付く情報として例えば楽曲のさわり部分の音声配信等を携帯電話機に配信できる。また、この紐付く情報として、ジャケット面に応じたアノテーション（ジャケット写真の個別注釈）も適切に加えることが可能である。
【００３７】
即ち、（１）音楽を固定した記録媒体又はその包装の外観イメージの少なくとも一部をマーカデータとして携帯電話機に予め配信し、（２）当該マーカによって導かれたアドレスにアクセスした上記携帯電話機に対して、上記固定された音楽に関連した所定の音楽情報（音声データや注釈情報）を配信するものである。
【００３８】
このようにすれば、レコード会社側のプロモーションとしても有効であるし、また、店側としても試聴等の準備の手間が省ける等のメリットが生ずる。
【００３９】
なお、上述した各実施形態で説明した、認識・識別手段、情報指定手段、呈示画像生成手段、位置姿勢算出手段は、いずれも情報呈示装置が内蔵するＣＰＵ及び当該ＣＰＵ上で動作するプログラムで実現するものとして記載した。しかし、例えば専用回路を設けるなど、他の態様でも実現可能なものである。
【００４０】
また、プラットフォーム内記憶部の実現態様としては、外付けのデータパック、着脱自在の記憶媒体（例えば、フラッシュメモリ）などがあるが、これに限定されない。
【００４１】
以上実施形態に基づいて本発明を説明したが、本発明は上述した実施形態に限定されるものではなく、本発明の要旨の範囲内で種々の変形や応用が可能なことは勿論である。
【００４２】
例えば、上記第２実施形態においても、上記第１実施形態と同様に位置姿勢算出手段１６を備え、算出した位置及び姿勢に基づいて関連情報を呈示するようにしても良い。
【００４３】
また、図１、図３乃至図６に破線で示すように、データセットサーバ３０及び／又は情報サーバ４０の代わりに、交換可能な記憶メディア５０を使用するものであっても良い。この場合プラットフォーム記憶部２０へのデータセット２１や基本データ１７の導入とは、その記憶メディア５０から内部メモリへのデータの展開を意味する。
【図面の簡単な説明】
【００４４】
【図１】図１は、本発明の第１実施形態に係る情報呈示装置を適用した情報呈示システムの構成を示す図である。
【図２】図２（Ａ）は、第１実施形態に係る情報呈示装置の動作フローチャートを示す図であり、図２（Ｂ）は、図６の構成を適用した携帯電話機の動作フローチャートを示す図である。
【図３】図３は、第１実施形態に係る情報呈示装置の変形例を適用した情報呈示システムの構成を示す図である。
【図４】図４は、本発明の第２実施形態に係る情報呈示装置を適用した情報呈示システムの構成を示す図である。
【図５】図５は、第２実施形態に係る情報呈示装置の変形例を説明するための図である。
【図６】図６は、第２実施形態に係る情報呈示装置の更に別の変形例を適用した情報呈示システムの構成を示す図である。
【符号の説明】
【００４５】
１０…情報呈示装置、  １１…撮影手段、  １２…認識・識別手段、  １３…情報指定手段、  １４…呈示画像生成手段、  １５…画像表示装置、  １６…位置姿勢算出手段、  １７…基本データ、  ２０…記憶部、  ２１…データセット、  ３０…データセットサーバ、  ４０…情報サーバ、  ５０…記憶メディア。
【図１】
2006155191.tif 000003
【図２】
2006155191.tif 000004
【図３】
2006155191.tif 000005
【図４】
2006155191.tif 000006
【図５】
2006155191.tif 000007
【図６】
2006155191.tif 000008